(57)【要約】【課題】無線通信システムにおいてポーリングをトリガーする方法及び装置を提供する。【解決手段】方法は、送信端のポーリング機能をトリガーし、受信端のデータ伝送状態をポーリングする段階を含む。送信端のＲＬＣ（無線リンク制御）エンティティーは最後ＰＤＵ（プロトコルデータユニット）とポーリングタイマーのトリガーメカニズムをサポートし、タイマーベースのトリガーメカニズムをサポートしない。【選択図】図４
2009049993.tif 000002
【特許請求の範囲】
【請求項１】
送信端のポーリング機能をトリガーし、受信端のデータ伝送状態をポーリングする段階を含む、無線通信システムの送信端においてポーリング機能をトリガーする方法であって、
前記送信端のＲＬＣ（無線リンク制御）エンティティーは最後ＰＤＵ（プロトコルデータユニット）とポーリングタイマーのトリガーメカニズムをサポートし、タイマーベースのトリガーメカニズムをサポートしない、ポーリング機能のトリガー方法。
【請求項２】
前記最後ＰＤＵのトリガーメカニズムは、バッファ内、最後の初回送信予定ＰＤＵの送信が用意されたときにポーリング機能をトリガーする、請求項１に記載のポーリング機能のトリガー方法。
【請求項３】
前記最後ＰＤＵのトリガーメカニズムは、再送バッファ内、最後の初回送信予定ＰＤＵの送信が用意されたときに、ポーリング機能をトリガーする、請求項１に記載のポーリング機能のトリガー方法。
【請求項４】
前記ポーリングタイマーのトリガーメカニズムは、タイマーの満了後にも対応する状態報告を受信していない場合に、ポーリング機能をトリガーする、請求項１に記載のポーリング機能のトリガー方法。
【請求項５】
前記タイマーはポーリングタイマーである、請求項４に記載のポーリング機能のトリガー方法。
【請求項６】
前記タイマーベースのトリガーメカニズムは、送信端で周期的にポーリング機能をトリガーする、請求項１に記載のポーリング機能のトリガー方法。
【請求項７】
前記送信端はポーリング一時禁止機能をサポートせず、ポーリング一時禁止機能は、特定期間内に送信端でポーリング機能をトリガーするのを禁止するために用いられる、請求項１に記載のポーリング機能のトリガー方法。
【請求項８】
前記受信端は状態報告一時禁止機能をサポートし、状態報告一時禁止機能は特定期間内に受信端で状態報告を出力するのを禁止するために用いられる、請求項１に記載のポーリング機能のトリガー方法。
【請求項９】
前記送信端はウィンドウベースのトリガーメカニズムをサポートし、ウィンドウベースのトリガーメカニズムは、送信端で所定比例の送信ウィンドウに達成したときにポーリング機能をトリガーする、請求項１に記載のポーリング機能のトリガー方法。
【請求項１０】
前記送信端はエブリーＰｏｌｌ＿ＰＤＵ  ＰＤＵのトリガーメカニズムをサポートせず、エブリーＰｏｌｌ＿ＰＤＵ  ＰＤＵのトリガーメカニズムは、所定数量のＰＤＵの送信または再送が用意されたときにポーリング機能をトリガーする、請求項１に記載のポーリング機能のトリガー方法。
【請求項１１】
前記送信端はエブリーＰｏｌｌ＿ＳＤＵ  ＳＤＵのトリガーメカニズムをサポートせず、エブリーＰｏｌｌ＿ＳＤＵ  ＳＤＵのトリガーメカニズムは、所定数量のＳＤＵ（サービスデータユニット）の送信または再送が用意されたときにポーリング機能をトリガーする、請求項１に記載のポーリング機能のトリガー方法。
【請求項１２】
無線通信システムにおいてポーリングを正確にトリガーするための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
ポーリング機能をトリガーし、受信端のデータ伝送状態をポーリングするコードと、最後ＰＤＵとポーリングタイマーのトリガーメカニズムをサポートし、タイマーベースのトリガーメカニズムをサポートしないＲＬＣエンティティーを備える、通信装置。
【請求項１３】
前記最後ＰＤＵのトリガーメカニズムは、バッファ内、最後の初回送信予定ＰＤＵの送信が用意されたときにポーリング機能をトリガーする、請求項１２に記載の通信装置。
【請求項１４】
前記最後ＰＤＵのトリガーメカニズムは、再送バッファ内、最後の初回送信予定ＰＤＵの送信が用意されたときに、ポーリング機能をトリガーする、請求項１２に記載の通信装置。
【請求項１５】
前記ポーリングタイマーのトリガーメカニズムは、タイマーの満了後にも対応する状態報告を受信していない場合に、ポーリング機能をトリガーする、請求項１２に記載の通信装置。
【請求項１６】
前記タイマーはポーリングタイマーである、請求項１５に記載の通信装置。
【請求項１７】
前記タイマーベースのトリガーメカニズムは、送信端で周期的にポーリング機能をトリガーする、請求項１２に記載の通信装置。
【請求項１８】
前記ＲＬＣエンティティーはポーリング一時禁止機能をサポートせず、ポーリング一時禁止機能は、特定期間内に送信端でポーリング機能をトリガーするのを禁止するために用いられる、請求項１２に記載の通信装置。
【請求項１９】
前記受信端は状態報告一時禁止機能をサポートし、状態報告一時禁止機能は特定期間内に受信端で状態報告を出力するのを禁止するために用いられる、請求項１２に記載の通信装置。
【請求項２０】
前記ＲＬＣエンティティーはウィンドウベースのトリガーメカニズムをサポートし、ウィンドウベースのトリガーメカニズムは、送信端で所定比例の送信ウィンドウに達成したときにポーリング機能をトリガーする、請求項１２に記載の通信装置。
【請求項２１】
前記ＲＬＣエンティティーはエブリーＰｏｌｌ＿ＰＤＵ  ＰＤＵのトリガーメカニズムをサポートせず、エブリーＰｏｌｌ＿ＰＤＵ  ＰＤＵのトリガーメカニズムは、所定数量のＰＤＵの送信または再送が用意されたときにポーリング機能をトリガーする、請求項１２に記載の通信装置。
【請求項２２】
前記ＲＬＣエンティティーはエブリーＰｏｌｌ＿ＳＤＵ  ＳＤＵのトリガーメカニズムをサポートせず、エブリーＰｏｌｌ＿ＳＤＵ  ＳＤＵのトリガーメカニズムは、所定数量のＳＤＵの送信または再送が用意されたときにポーリング機能をトリガーする、請求項１２に記載の通信装置。
【発明の詳細な説明】
【技術分野】
【０００１】
本発明は無線通信システムにおいてポーリング機能をトリガーする方法及び装置に関し、特にポーリング機能を効率よくトリガーし、ポーリング遅延と頻繁なポーリング動作を回避し、伝送効率を向上させる方法及び関連の装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。
【０００３】
第三世代移動通信システムのＡＳ（アクセスストラタム）はＲＲＣ（無線資源制御）、ＲＬＣ（無線リンク制御）、ＭＡＣ（媒体アクセス制御）、ＰＤＣＰ（パケットデータコンバージェンスプロトコル）、ＢＭＣ（ブロードキャスト／マルチキャスト制御）など機能が異なった複数の副層を含み、その動作については当業者に周知のため、ここで説明を省略する。また、第三世代移動通信システムは伝送品質に応じて種々のモードを提供し、伝送品質により複数のモード、例えばＴＭ（トランスペアレントモード）、ＵＭ（アンアクノレッジモード）、ＡＭ（アクノレッジモード）で動作する。ＴＭモードは実時間通信を要求するサービスに適し、ＵＭは実時間通信とパケットシーケンスの正確性を同時に要求するサービスに適し、ＡＭは実時間通信よりデータの正確性を要求するサービスに適する。
【０００４】
ＡＭモードでは、データの正確性を向上させるために、送信端と受信端のＲＬＣ層は状態報告プロセスを適時に起動する。同プロセスでは、送信端は受信端をポーリングし、状態報告またはピギーバック状態報告を送信するようにを求める。送信端は後に、受信端から受信した状態報告に基づいて、受信端におけるＰＤＵ（プロトコルデータユニット）の受信状態を判断し、その結果に基づいてＰＤＵの再送を決定し、データの正確性を保持する。
【０００５】
送信端は前述のポーリング機能を通して受信端での受信状態を判断し、その結果に基づいて後続のプロセスを実行する。ポーリング機能をトリガーするメカニズムとして以下の数種類がある。
【０００６】
（１）  バッファにおける最後ＰＤＵ（Ｌａｓｔ  ＰＤＵ  ｉｎ  ｂｕｆｆｅｒ）：バッファ内、最後の初回送信予定ＰＤＵの送信が用意されたときにポーリング機能をトリガーする。
（２）  再送バッファにおける最後ＰＤＵ（Ｌａｓｔ  ＰＤＵ  ｉｎ  ｒｅｔｒａｎｓｍｉｓｓｉｏｎ  ｂｕｆｆｅｒ）：再送バッファ内、最後の初回送信予定ＰＤＵの送信が用意されたときにポーリング機能をトリガーする。
（３）  ポーリングタイマー（Ｐｏｌｌ  Ｔｉｍｅｒ）：ポーリング発信後にタイマーＴｉｍｅｒ＿Ｐｏｌｌを起動する。ポーリングタイマーの満了後にも対応する状態報告を受信していない場合に、ポーリング機能をトリガーする。このメカニズムはポーリング再送タイマー（Ｐｏｌｌ  ｒｅｔｒａｎｓｍｉｓｓｉｏｎ  ｔｉｍｅｒ）とも呼ばれる。
（４）  エブリーＰｏｌｌ＿ＰＤＵ  ＰＤＵ（Ｅｖｅｒｙ  Ｐｏｌｌ＿ＰＤＵ  ＰＤＵ）：所定数量のＰＤＵの送信または再送が用意されたときにポーリング機能をトリガーする。
（５）  エブリーＰｏｌｌ＿ＳＤＵ  ＳＤＵ（Ｅｖｅｒｙ  Ｐｏｌｌ＿ＳＤＵ  ＳＤＵ）：所定数量のＳＤＵ（サービスデータユニット）の送信または再送が用意されたときにポーリング機能をトリガーする。
（６）  ウィンドウベース（Ｗｉｎｄｏｗ  ｂａｓｅｄ）：所定比例の送信ウィンドウに達成したときにポーリング機能をトリガーする。
（７）  タイマーベース（Ｔｉｍｅｒ  ｂａｓｅｄ）：送信端が周期的にポーリング機能をトリガーする。
【０００７】
ポーリング機能がトリガーされると、送信端はＰＤＵのポーリングビットを起動（＝１）と設定して受信端に出力するか、またはポーリングスーパーフィールドを備える状態ＰＤＵ（ＳＴＡＴＵＳ  ＰＤＵ）を受信端に出力することで、状態報告を出力するように受信端に指示する。
【０００８】
前掲メカニズムを効果的に制御できなければ、ポーリング機能が頻繁にトリガーされるおそれがある。ポーリング機能が頻繁にトリガーされるのを防ぐために、ＲＬＣ層の上位層プロトコルエンティティーはタイマーＴｉｍｅｒ＿Ｐｏｌｌ＿Ｐｒｏｈｉｂｉｔを別途に設定し、特定期間内にポーリングを一切禁止することができる。しかし、送信端が前掲ポーリングトリガーメカニズムとポーリング一時禁止機能を同時にサポートすれば、ポーリング機能のトリガー効率はそれによって低下しかねない。例えば、伝送過程においてポーリング起動指示（ポーリングビットを起動と設定したＰＤＵまたはポーリングスーパーフィールドを備える状態ＰＤＵ）が紛失したとすれば、送信端はタイマーＴｉｍｅｒ＿Ｐｏｌｌ＿Ｐｒｏｈｉｂｉｔの満了後になってから他のポーリング起動指示を送信するほかならず、ポーリングのトリガー効率は低下せざるをえない。
【発明の開示】
【発明が解決しようとする課題】
【０００９】
本発明の主な目的は無線通信システムにおいてポーリングをトリガーする方法及び装置を提供することにある。
【課題を解決するための手段】
【００１０】
本発明では、無線通信システムの送信端においてポーリング機能をトリガーする方法を開示する。当該方法は、送信端のポーリング機能をトリガーし、受信端のデータ伝送状態をポーリングする段階を含む。前記送信端のＲＬＣ（無線リンク制御）エンティティーは最後ＰＤＵ（プロトコルデータユニット）とポーリングタイマーのトリガーメカニズムをサポートし、タイマーベースのトリガーメカニズムをサポートしない。
【００１１】
本発明では更に、無線通信システムにおいてポーリングを正確にトリガーするための通信装置を開示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、ポーリング機能をトリガーし、受信端のデータ伝送状態をポーリングするコードと、最後ＰＤＵとポーリングタイマーのトリガーメカニズムをサポートし、タイマーベースのトリガーメカニズムをサポートしないＲＬＣエンティティーを備える。
【発明を実施するための最良の形態】
【００１２】
かかる方法及び装置の特徴を詳述するために、具体的な実施例を挙げ、図示を参照して以下に説明する。
【００１３】
図１を参照する。図１は無線通信システム１０００を表す説明図である。無線通信システム１０００は第三世代移動通信システム、ＬＴＥ（ｌｏｎｇ  ｔｅｒｍ  ｅｖｏｌｕｔｉｏｎ）無線通信システム、または他の移動通信システムであり、概してネットワークと複数のＵＥ（ユーザー端末）を含む。図１では、ネットワークとＵＥは無線通信システム１０００の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。なお、ネットワークとＵＥはデータ送信の方向により送信端または受信端に定義されうる。例えば、ダウンリンク伝送時にはネットワークは送信端であって、ＵＥは受信端である。アップリンク伝送時にはネットワークは受信端であって、ＵＥは送信端である。
【００１４】
図２を参照する。図２は無線通信装置１００のブロック図である。無線通信装置１００は図１に示すＵＥまたはネットワークを実施するものである。説明を簡潔にするために、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１５】
図３を参照する。図３は図２に示すプログラムコード１１２を表す説明図である。プログラムコード１１２はアプリケーション層２００と、第三層インターフェイス２０２と第二層インターフェイス２０６を備え、第一層インターフェイス２１８と接続されている。信号を発するとき、第二層インターフェイス（すなわちＲＬＣ層）２０６は第三層インターフェイス２０２から出力されたデータに基づいて、複数のＳＤＵ（サービスデータユニット）２０８を形成してバッファ２１２に保存する。その後、第二層インターフェイス２０６はバッファ２１２に保存されたＳＤＵ２０８に基づいて複数のＰＤＵ２１４を生成し、これらのＰＤＵ２１４を第一層インターフェイスを通して送信先に出力する。それに反して、無線信号を受信するときは、第一層インターフェイス２１８で信号を受信し、受信した信号をＰＤＵ２１４として第二層インターフェイス２０６に出力する。第二層インターフェイス２０６はこのＰＤＵ２１４をＳＤＵ２０８に還元してバッファ２１２に保存する。最後に、第二層インターフェイス２０６はバッファ２１２に保存されたＳＤＵ２０８を第三層インターフェイス２０２に送信する。
【００１６】
無線通信装置１００が送信端であって、ＡＭモードで動作する場合、データの正確性を向上させるために、第二層インターフェイス２０６（すなわちＲＬＣ層）はポーリング機能を適時にトリガーし、受信端をポーリングして状態報告またはピギーバック状態報告を送信するように受信端に求める。それに鑑みて、本発明の実施例ではポーリングを正確にトリガーするために、ポーリングトリガープログラムコード２２０を提供する。
【００１７】
図４を参照する。図４は本発明の実施例による方法４０を表す説明図である。下記方法４０は無線通信システム１０００の送信端においてポーリングをトリガーするのに用いられる。この送信端はネットワークまたはＵＥである。下記方法４０はポーリングトリガープログラムコード２２０としてコンパイルすることができる。
【００１８】
ステップ４００：開始。
ステップ４０２：送信端のポーリング機能をトリガーし、受信端のデータ伝送状態をポーリングする。送信端のＲＬＣエンティティーは最後ＰＤＵとポーリングタイマーのトリガーメカニズムをサポートし、タイマーベースのトリガーメカニズムをサポートしない。
ステップ４０４：終了。
【００１９】
以上のように、ＲＬＣエンティティー（すなわち第二層インターフェイス２０６）は最後ＰＤＵとポーリングタイマーのトリガーメカニズムをサポートし、タイマーベースのトリガーメカニズムをサポートしない。そのうちポーリングタイマーとタイマーベースのトリガーメカニズムの定義は前述のとおりであって、ここで説明を省略する。最後ＰＤＵのトリガーメカニズムとは、バッファにおける最後ＰＤＵまたは／及び再送バッファにおける最後ＰＤＵのトリガーメカニズムで、その定義は前述のとおりである。
【００２０】
したがって、本発明の実施例はバッファにおける最後ＰＤＵ、再送バッファにおける最後ＰＤＵ、ポーリングタイマーのトリガーメカニズムをサポートするが、タイマーベースのトリガーメカニズムをサポートしない。したがって、送信端はポーリング機能を効率よくトリガーし、頻繁なポーリングを防ぎ、伝送効率を向上させることができる。望ましくは、本発明の実施例は更にウィンドウベースのトリガーメカニズムをサポートし、エブリーＰｏｌｌ＿ＰＤＵ  ＰＤＵ、エブリーＰｏｌｌ＿ＳＤＵ  ＳＤＵをサポートしないのも可能であり、その定義については前述のとおりである。なお、本発明の実施例では、送信端はポーリング遅延を防ぐためにポーリング一時禁止機能をサポートせず、受信端は同じデータ受信状態を繰り返して返送するのを防ぐために状態報告一時禁止機能をサポートすることが望ましい。言い換えれば、送信端は特定期間内にポーリングトリガーを禁止する機能をサポートせず、受信端は特定期間内に状態報告の出力を禁止する機能をサポートする。
【００２１】
まとめていえば、本発明の実施例では、送信端のＲＬＣエンティティーは最後ＰＤＵとポーリングタイマーのトリガーメカニズムをサポートするが、タイマーベースのトリガーメカニズムをサポートしないので、ポーリング機能を効率よくトリガーし、ポーリング遅延を回避し、伝送効率を向上させることができる。
【００２２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２３】
【図１】無線通信システムを表す説明図である。
【図２】無線通信装置のブロック図である。
【図３】図２に示すプログラムコードを表す説明図である。
【図４】本発明の実施例による方法を表す説明図である。
【符号の説明】
【００２４】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２０８  ＳＤＵ
２１２  バッファ
２１４  ＰＤＵ
２１８  第一層インターフェイス
２２０  ポーリングトリガープログラムコード
１０００  無線通信システム
【図１】
2009049993.tif 000003
【図２】
2009049993.tif 000004
【図３】
2009049993.tif 000005
【図４】
2009049993.tif 000006